(57)【要約】【課題】ユーザが以前に記録したデータの損失や、これから記録しようとするデータの損失を事前に防ぐことができるようにする。【解決手段】管理情報読出部１５３は、管理情報を読み出し、ディスク種類の２次判別を行うとともに、データの記録状態を確認して、光ディスクにおける管理情報の有無を判別し、判別結果である管理情報の有無を示すフラグを情報メモリ１５５に記憶させる。キャリブレーション領域確認部１５４は、パワーキャリブレーション領域の記録未記録を検出することで、パワーキャリブレーション領域の使用履歴の有無を判別し、判別結果であるパワーキャリブレーション領域の使用履歴の有無を示すフラグを情報メモリ１５５に記憶させる。異常検出部１５６は、情報メモリ１５５に記憶されている各判別結果に基づいて、光ディスクの異常を検出する。本発明は、光ディスクにデータを記録するビデオカメラに適用できる。【選択図】図３
2008004163.tif 000002
【特許請求の範囲】
【請求項１】
光ディスクにデータを記録する記録装置において、
前記光ディスクの挿入時に、前記光ディスク上に記録されるデータを管理する前記光ディスクの管理情報を確認することで、前記光ディスクの管理情報の有無を判別する管理情報確認手段と、
前記光ディスク上に設けられた記録パワー最適化のための領域の使用状況を確認することで、前記記録パワー最適化のための領域の使用履歴の有無を判別する領域使用確認手段と、
前記光ディスクの管理情報の有無および前記記録パワー最適化のための領域の使用履歴の有無に基づいて、前記光ディスクの異常を検出する異常検出手段と
を備える記録装置。
【請求項２】
前記異常検出手段は、前記光ディスクの管理情報がなく、かつ、前記記録パワー最適化のための領域の使用履歴がある場合、前記光ディスクの異常を検出する
請求項１に記載の記録装置。
【請求項３】
前記光ディスクの管理情報の有無を示す情報、前記記録パワー最適化のための領域の使用履歴の有無を示す情報、および前記記録パワー最適化のための領域の使用状況を示す情報を記憶する記憶手段を
さらに備える請求項１に記載の記録装置。
【請求項４】
前記異常検出手段は、前記光ディスクの管理情報がある場合、前記光ディスクの管理情報に記載されている前記記録パワー最適化のための領域の使用状況と、前記領域使用確認手段により確認された前記記録パワー最適化のための領域の使用状況とが一致するか否かに基づいても、前記光ディスクの異常を検出する
請求項１に記載の記録装置。
【請求項５】
前記光ディスクにおけるデータ記録領域の使用状況を確認することで、前記光ディスクにおけるデータ記録領域の使用の有無を判別するデータ領域確認手段を
さらに備え、
前記異常検出手段は、前記光ディスクの管理情報の有無および前記記録パワー最適化のための領域の使用履歴の有無に加えて、前記光ディスクにおけるデータ記録領域の使用の有無に基づいても、前記光ディスクの異常を検出する
請求項１に記載の記録装置。
【請求項６】
前記異常検出手段は、前記光ディスクの管理情報がある場合、前記光ディスクの管理情報に記載されている前記データ領域の使用状況と、前記データ領域確認手段により確認された前記光ディスクにおけるデータ記録領域の使用状況とが一致するか否かに基づいても、前記光ディスクの異常を検出する
請求項５に記載の記録装置。
【請求項７】
前記異常検出手段により検出された前記光ディスクの異常をユーザに通知する通知手段を
さらに備える
請求項１に記載の検出装置。
【請求項８】
光ディスクにデータを記録する記録装置の異常検出方法において、
前記光ディスクの挿入時に、前記光ディスク上に記録されるデータを管理する前記光ディスクの管理情報を確認することで、前記光ディスクの管理情報の有無を判別し、
前記光ディスク上に設けられた記録パワー最適化のための領域の使用状況を確認することで、前記記録パワー最適化のための領域の使用履歴の有無を判別し、
前記光ディスクの管理情報の有無および前記記録パワー最適化のための領域の使用履歴の有無に基づいて、前記光ディスクの異常を検出するステップを
含む異常検出方法。
【請求項９】
光ディスクにデータを記録する記録装置に、
前記光ディスクの挿入時に、前記光ディスク上に記録されるデータを管理する前記光ディスクの管理情報を確認することで、前記光ディスクの管理情報の有無を判別し、
前記光ディスク上に設けられた記録パワー最適化のための領域の使用状況を確認することで、前記記録パワー最適化のための領域の使用履歴の有無を判別し、
前記光ディスクの管理情報の有無および前記記録パワー最適化のための領域の使用履歴の有無に基づいて、前記光ディスクの異常を検出するステップを
含む処理を実行させるプログラム。
【発明の詳細な説明】
【技術分野】
【０００１】
本発明は、記録装置、異常検出方法、およびプログラムに関し、特に、なんらかの原因により、データは存在するが、その管理情報が存在しない状態となってしまった光ディスクをドライブに再挿入した場合に、未使用のメディアと判断され、ユーザデータを破損や消失してしまうことを防ぐことができるようにした記録装置、異常検出方法、およびプログラムに関する。
【背景技術】
【０００２】
今日市場に出回っている記録系CD(Compact Disc)、記録系DVD（Digital Versatile Disk）、MD(MiniDisc)、MO(Magneto-Optical disk)等の記録型の光ディスクドライブでは、振動や衝撃、傷や汚れ、装置等の不良で、データの記録に失敗することがある。
【０００３】
その失敗箇所がディスクのデータ記録状況などを示す記録管理情報であり、かつ、その管理情報が１つも記録できなかった場合、データは存在するが管理情報は存在しない状態となってしまう。
【０００４】
一方、従来の光ディスクドライブは、ディスクが挿入されると管理情報の有無を判別し、管理情報が存在しないと判別した場合、挿入したディスクを未使用のディスクと判定してしまっていた（特許文献１参照）。
【０００５】
【特許文献１】特開２００５−２２２６６５号公報
【発明の開示】
【発明が解決しようとする課題】
【０００６】
したがって、上述したような管理情報の記録に失敗したディスクを、従来の光ディスクドライブに挿入すると、既に記録されているデータの箇所を上書きしてしまい、以前に記録したデータを破損や消失してしまうことがあった。
【０００７】
さらにその光ディスクがライトワンス型であった場合には、新たに記録するデータ自体も破損してしまうこともあった。これは、特に、データを記録する装置が、記録されるデータのバックアップは存在しないことが多いビデオカメラやデジタルカメラなどであった場合、ユーザの唯一無二の大事なデータを消失してしまうことを意味していた。
【０００８】
本発明は、このような状況に鑑みてなされたものであり、なんらかの原因により、データは存在するが、その管理情報が存在しない状態となってしまった光ディスクをドライブに再挿入した場合に、未使用のメディアと判断され、ユーザデータを破損や消失してしまうことを防ぐことができるようにするものである。
【課題を解決するための手段】
【０００９】
本発明の一側面の記録装置は、光ディスクにデータを記録する記録装置において、前記光ディスクの挿入時に、前記光ディスク上に記録されるデータを管理する前記光ディスクの管理情報を確認することで、前記光ディスクの管理情報の有無を判別する管理情報確認手段と、前記光ディスク上に設けられた記録パワー最適化のための領域の使用状況を確認することで、前記記録パワー最適化のための領域の使用履歴の有無を判別する領域使用確認手段と、前記光ディスクの管理情報の有無および前記記録パワー最適化のための領域の使用履歴の有無に基づいて、前記光ディスクの異常を検出する異常検出手段とを備える。
【００１０】
前記異常検出手段は、前記光ディスクの管理情報がなく、かつ、前記記録パワー最適化のための領域の使用履歴がある場合、前記光ディスクの異常を検出することができる。
【００１１】
前記光ディスクの管理情報の有無を示す情報、前記記録パワー最適化のための領域の使用履歴の有無を示す情報、および前記記録パワー最適化のための領域の使用状況を示す情報を記憶する記憶手段をさらに備えることができる。
【００１２】
前記異常検出手段は、前記光ディスクの管理情報がある場合、前記光ディスクの管理情報に記載されている前記記録パワー最適化のための領域の使用状況と、前記領域使用確認手段により確認された前記記録パワー最適化のための領域の使用状況とが一致するか否かに基づいても、前記光ディスクの異常を検出することができる。
【００１３】
前記光ディスクにおけるデータ記録領域の使用状況を確認することで、前記光ディスクにおけるデータ記録領域の使用の有無を判別するデータ領域確認手段をさらに備え、前記異常検出手段は、前記光ディスクの管理情報の有無および前記記録パワー最適化のための領域の使用履歴の有無に加えて、前記光ディスクにおけるデータ記録領域の使用の有無に基づいても、前記光ディスクの異常を検出することができる。
【００１４】
前記異常検出手段は、前記光ディスクの管理情報がある場合、前記光ディスクの管理情報に記載されている前記データ領域の使用状況と、前記データ領域確認手段により確認された前記光ディスクにおけるデータ記録領域の使用状況とが一致するか否かに基づいても、前記光ディスクの異常を検出することができる。
【００１５】
前記異常検出手段により検出された前記光ディスクの異常をユーザに通知する通知手段をさらに備えることができる。
【００１６】
本発明の一側面の異常検出方法は、光ディスクにデータを記録する記録装置の異常検出方法において、前記光ディスクの挿入時に、前記光ディスク上に記録されるデータを管理する前記光ディスクの管理情報を確認することで、前記光ディスクの管理情報の有無を判別し、前記光ディスク上に設けられた記録パワー最適化のための領域の使用状況を確認することで、前記記録パワー最適化のための領域の使用履歴の有無を判別し、前記光ディスクの管理情報の有無および前記記録パワー最適化のための領域の使用履歴の有無に基づいて、前記光ディスクの異常を検出するステップを含む。
【００１７】
本発明の一側面のプログラムは、光ディスクにデータを記録する記録装置に、前記光ディスクの挿入時に、前記光ディスク上に記録されるデータを管理する前記光ディスクの管理情報を確認することで、前記光ディスクの管理情報の有無を判別し、前記光ディスク上に設けられた記録パワー最適化のための領域の使用状況を確認することで、前記記録パワー最適化のための領域の使用履歴の有無を判別し、前記光ディスクの管理情報の有無および前記記録パワー最適化のための領域の使用履歴の有無に基づいて、前記光ディスクの異常を検出するステップを含む処理を実行させる。
【００１８】
本発明においては、光ディスクの挿入時に、前記光ディスク上に記録されるデータを管理する前記光ディスクの管理情報を確認することで、前記光ディスクの管理情報の有無が判別され、前記光ディスク上に設けられた記録パワー最適化のための領域の使用状況を確認することで、前記記録パワー最適化のための領域の使用履歴の有無が判別される。そして、前記光ディスクの管理情報の有無および前記記録パワー最適化のための領域の使用履歴の有無に基づいて、前記光ディスクの異常が検出される。
【発明の効果】
【００１９】
本発明によれば、ユーザが以前に記録したデータの損失や、これから記録しようとするデータの損失を事前に防ぐことができる。
【発明を実施するための最良の形態】
【００２０】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の記録装置は、光ディスク（例えば、図２の光ディスク６８）にデータを記録する記録装置（例えば、図１のビデオカメラ１）において、前記光ディスクの挿入時に、前記光ディスク上に記録されるデータを管理する前記光ディスクの管理情報を確認することで、前記光ディスクの管理情報の有無を判別する管理情報確認手段（例えば、図４の管理情報読出部１５３）と、前記光ディスク上に設けられた記録パワー最適化のための領域（例えば、図３のパワーキャリブレーション領域１０２）の使用状況を確認することで、前記記録パワー最適化のための領域の使用履歴の有無を判別する領域使用確認手段（例えば、図４のキャリブレーション領域確認部１５４）と、前記光ディスクの管理情報の有無および前記記録パワー最適化のための領域の使用履歴の有無に基づいて、前記光ディスクの異常を検出する異常検出手段（例えば、図４の異常検出部１５６）とを備える。
【００２２】
前記光ディスクの管理情報の有無を示す情報、前記記録パワー最適化のための領域の使用履歴の有無を示す情報、および前記記録パワー最適化のための領域の使用状況を示す情報を記憶する記憶手段（例えば、図４の情報メモリ１５５）をさらに備えることができる。
【００２３】
前記光ディスクにおけるデータ記録領域の使用状況を確認することで、前記光ディスクにおけるデータ記録領域の使用の有無を判別するデータ領域確認手段（例えば、図９のデータ領域確認部７１）をさらに備え、前記異常検出手段は、前記光ディスクの管理情報の有無および前記記録パワー最適化のための領域の使用履歴の有無に加えて、前記光ディスクにおけるデータ記録領域の使用の有無に基づいても、前記光ディスクの異常を検出することができる。
【００２４】
前記異常検出手段により検出された前記光ディスクの異常をユーザに通知する通知手段（例えば、図１のLCD１６または出力部２８）をさらに備えることができる。
【００２５】
本発明の一側面の異常検出方法またはプログラムは、光ディスクにデータを記録する記録装置の異常検出方法またはプログラムにおいて、前記光ディスクの挿入時に、前記光ディスク上に記録されるデータを管理する前記光ディスクの管理情報を確認することで、前記光ディスクの管理情報の有無を判別し（例えば、図５のステップＳ１３）、前記光ディスク上に設けられた記録パワー最適化のための領域の使用状況を確認することで、前記記録パワー最適化のための領域の使用履歴の有無を判別し（例えば、図５のステップＳ１４）、前記光ディスクの管理情報の有無および前記記録パワー最適化のための領域の使用履歴の有無に基づいて、前記光ディスクの異常を検出する（例えば、図５のステップＳ１５）ステップを含む。
【００２６】
本発明は、光ディスクを記録媒体として用いるビデオカメラ、デジタルスチルカメラ、パーソナルコンピュータや、ポータブルDVDプレーヤ、DVDレコーダなどの光ディスクにデータを記録する記録装置などに適用することができる。
【００２７】
以下、図を参照して本発明の実施の形態について説明する。
【００２８】
図１は、本発明を適用したビデオカメラの構成例を示すブロック図である。
【００２９】
ビデオカメラ１は、撮像部１１、マイクロフォン１２、ビデオ／オーディオインターフェース１３、スクリーンメモリ１４、スピーカ１５、LCD（Liquid Crystal Display）１６、圧縮伸張処理部１７、エンコーダ／デコーダメモリ１８、データ制御部１９、データメモリ２０、デバイスインターフェース２１、光ディスク駆動装置２２、蓋２３、システムコントロールバス２４、システム制御部２５、プログラムメモリ２６、ユーザインターフェース２７、出力部２８、および入力部２９を含むように構成される。
【００３０】
ビデオ／オーディオインターフェース１３、圧縮伸張処理部１７、データ制御部１９、デバイスインターフェース２１、およびシステム制御部２５のそれぞれは、互いにシステムコントロールバス２４を介して接続されている。
【００３１】
撮像部１１は、例えば、レンズやCCD（Charge Coupled Devices）撮像素子などからなり、システム制御部２５の制御の基に被写体を撮像して、これにより得られる画像データをビデオ／オーディオインターフェース１３を介して、圧縮伸張処理部１７に供給する。マイクロフォン１２は、システム制御部２５の制御の基に周囲の音声を集音して、これにより得られたアナログ信号である音声信号を、内蔵しているA/D（Analog/Degital）コンバータにより、デジタル信号である音声データに変換する。そして、マイクロフォン１２は、音声信号をデジタル信号に変換することにより得られる音声データを、ビデオ／オーディオインターフェース１３を介して、圧縮伸張処理部１７に供給する。
【００３２】
ビデオ／オーディオインターフェース１３は、撮像部１１から供給された画像データ、またはマイクロフォン１２から供給された音声データを、圧縮伸張処理部１７に供給する。また、ビデオ／オーディオインターフェース１３は、圧縮伸張処理部１７から供給された音声データをスピーカ１５に供給し、圧縮伸張処理部１７またはシステム制御部２５から供給された画像データをLCD１６に供給する。
【００３３】
スクリーンメモリ１４は、例えば、不揮発性の半導体メモリなどからなり、アイコンなどの文字や図形（画像）を表示させるためのデータを記録する。また、スクリーンメモリ１４は、記録しているアイコンなどの文字や図形（画像）を表示させるためのデータをビデオ／オーディオインターフェース１３を介してシステム制御部２５に供給する。なお、ビデオカメラ１は、スクリーンメモリ１４を設けない構成とすることも可能である。
【００３４】
スピーカ１５は、ビデオ／オーディオインターフェース１３から供給された音声データを基に、音声を出力する。LCD１６は、ビデオ／オーディオインターフェース１３から供給された画像データを基に、画像を表示する。
【００３５】
圧縮伸張処理部１７は、ビデオ／オーディオインターフェース１３から供給された画像データまたは音声データを、例えば、画像信号のフレームまたはフィールド間の差分圧縮処理を行う場合などに、必要に応じて、エンコーダ／デコーダメモリ１８に供給して、一時的に記憶させる。圧縮伸張処理部１７は、ビデオ／オーディオインターフェース１３から供給された画像データ、またはエンコーダ／デコーダメモリ１８が記憶している画像データを、例えば、JPEG（Joint Photographic Experts Group）、MPEG（Moving Picture Experts Group）1、MPEG2、MPEG4などの符号化方式により符号化し、その結果得られた画像データをデータ制御部１９に供給する。なお、符号化方式は、上述したものに限らず、将来の動画像、静止画像の圧縮伸張フォーマットに沿った符号化方式とすることもできる。
【００３６】
また、圧縮伸張処理部１７は、ビデオ／オーディオインターフェース１３から供給された音声データ、またはエンコーダ／デコーダメモリ１８が記憶している音声データを、例えば、MPEG1、MPEG2、MPEG4などの符号化方式により符号化し、その結果得られた音声データをデータ制御部１９に供給する。
【００３７】
さらに、圧縮伸張処理部１７は、データ制御部１９から供給された画像データまたは音声データを、例えば、MPEG1、MPEG2、MPEG4、JPEGなどの符号化方式に対応する復号方式により復号し、その結果得られた画像データまたは音声データを、ビデオ／オーディオインターフェース１３に供給する。
【００３８】
エンコーダ／デコーダメモリ１８は、例えば、揮発性の半導体メモリなどからなり、圧縮伸張処理部１７から供給された画像データまたは音声データを一時的に記憶する。また、エンコーダ／デコーダメモリ１８は、記憶している画像データまたは音声データを圧縮伸張処理部１７に供給する。
【００３９】
データ制御部１９は、圧縮伸張処理部１７から供給された画像データを、必要に応じてデータメモリ２０に供給して一時的に記憶させる。データ制御部１９は、圧縮伸張処理部１７から供給された画像データまたは音声データを、デバイスインターフェース２１を介して光ディスク駆動装置２２に供給するか、またはシステムコントロールバス２４を介してシステム制御部２５に供給する。
【００４０】
また、データ制御部１９は、データメモリ２０が記憶している画像データまたは音声データを、デバイスインターフェース２１を介して光ディスク駆動装置２２に供給する。さらに、データ制御部１９は、システム制御部２５から供給された画像データを、圧縮伸張処理部１７に供給する。さらに、また、データ制御部１９は、デバイスインターフェース２１を介して光ディスク駆動装置２２から供給される、光ディスクに異常がある可能性があることを示す光ディスクの異常通知信号を、システム制御部２５に供給する。
【００４１】
データメモリ２０は、例えば、揮発性の半導体メモリなどからなり、データ制御部１９から供給された画像データまたは音声データを一時的に記憶して、FIFO（First In First Out）キューに配列する。データメモリ２０は、記憶している画像データまたは音声データを、FIFOキュー上の配列の順にデータ制御部１９に供給する。
【００４２】
デバイスインターフェース２１は、例えば、ATA/ATAPI-4（AT Attachment Packet Interface）、SCSI（Small Computer System Interface）、USB（Universal Serial Bus）、IEEE（Institute of Electrical and Electronic Engineers）1394などの規格に基づいて非連続なハンドシェークを行って、光ディスク駆動装置２２との各種のデータの授受（送受信）を行う。
【００４３】
すなわち、デバイスインターフェース２１は、データ制御部１９から供給された画像データまたは音声データ、システム制御部２５から供給された各種信号などを、光ディスク駆動装置２２に転送（供給）したり、光ディスク駆動装置２２に装着された光ディスクから読み出された画像データや音声データ、または、光ディスク駆動装置２２からの光ディスクの異常通知信号などを受信して、データ制御部１９に供給する。
【００４４】
光ディスク駆動装置２２には、ユーザ（利用者）が蓋２３を開けることにより、例えば、CD-R（Compact Disk Recordable）、CD-RW（Compact Disk Rewritable）、DVD-R（Digital Versatile Disk Recordable）、DVD-RW（Digital Versatile Disk Rewritable）、DVD+R、DVD+RW、DVD-RAM（Digital Versatile Disk Random Access Memory）などの光ディスクが着脱可能となっている。また、光ディスクは、Blu-ray DiscやHD-DVD（High Definition DVD）などのより記録容量の大きい光ディスクで構成することもできる。
【００４５】
光ディスク駆動装置２２は、光ディスクが挿入されると、光ディスク上に記録されるデータを管理するために光ディスク上に記録される管理情報の有無、および、レーザダイオードの記録パワーを最適化するために光ディスク上に設けられるパワーキャリブレーション領域内の使用履歴の有無に基づいて、光ディスクの異常を検出し、光ディスクに異常があることが検出された場合、それをユーザに通知するために、光ディスクの異常通知信号を、デバイスインターフェース２１に供給する。
【００４６】
一方、光ディスクに異常が検出されなかった場合、光ディスク駆動装置２２は、必要に応じて、光ディスクに記録されている画像データや音声データを読み出して、読み出した画像データや音声データをデバイスインターフェース２１に供給する。また、光ディスク駆動装置２２は、パワーキャリブレーション領域の未記録領域において、レーザダイオードの記録パワーを最適化してから、デバイスインターフェース２１から供給された画像データまたは音声データを光ディスクに記録する。その後、光ディスクが取り出される前に、光ディスク駆動装置２２は、新たに記録されたデータの分の管理情報を更新する。
【００４７】
システム制御部２５は、プログラムメモリ２６に記録されているプログラムを実行して、システムコントロールバス２４を介して相互に接続されているビデオ／オーディオインターフェース１３、圧縮伸張処理部１７、データ制御部１９、またはデバイスインターフェース２１などを制御し、各種の処理を行う。また、システム制御部２５は、ユーザインターフェース２７を介して接続されている、入力部２９から供給された入力信号に応じた処理を行う。
【００４８】
さらに、システム制御部２５は、入力部２９から供給される入力信号またはデータ制御部１９から供給される光ディスクの異常通知信号に応じて、発光素子、音響素子などからなる出力部２８を制御して、ユーザにビデオカメラ１の状態や、光ディスクに異常がある可能性があることなどを通知するための光や音声を発生させる。また、システム制御部２５は、必要に応じてスクリーンメモリ１４に記録されているアイコンなどの文字や図形（画像）を表示させるためのデータを読み出し、そのデータに基づいて所定の演算を行う。そして、システム制御部２５は、その演算の結果得られた、アイコンなどの文字や図形（画像）を表示させるための画像データを、ビデオ／オーディオインターフェース１３を介してLCD１６に供給する。
【００４９】
プログラムメモリ２６は、例えば、不揮発性の半導体メモリなどからなり、システム制御部２５のプログラム格納メモリ、または作業用ワークメモリとして機能する。プログラムメモリ２６は、システム制御部２５に各種の処理を実行させるためのプログラムなどを記録する。
【００５０】
また、システム制御部２５には、ユーザインターフェース２７を介して、出力部２８および入力部２９が接続されている。出力部２８は、例えば、発光素子、音響素子などからなり、システム制御部２５の制御のもと、ユーザにビデオカメラ１の状態や、光ディスクに異常がある可能性があることなどを通知するための光や音声を発生させる。
【００５１】
入力部２９は、例えば、キー入力ボタン、スイッチ、タッチパネルなどよりなり、ユーザの操作に応じた入力信号を発生させ、発生させた入力信号を、ユーザインターフェース２７を介して、システム制御部２５に供給する。
【００５２】
図２は、図１の光ディスク駆動装置２２の構成を示すブロック図である。
【００５３】
光ディスク駆動装置２２は、サーボ制御部６１、スピンドルモータ６２、スレッドモータ６３、光ピックアップ６４、信号処理部６５、ホストインターフェース６６、および制御部６７を含むように構成される。
【００５４】
サーボ制御部６１は、制御部６７の制御の基に、スピンドルモータ６２のシャフトを回転させる。また、サーボ制御部６１は、制御部６７の制御の基にスレッドモータ６３を回転駆動させて、光ピックアップ６４を光ディスク６８の径方向（図中、左右方向）に移動させる。さらに、サーボ制御部６１は、制御部６７の制御の基に光ピックアップ６４を駆動させて、光ピックアップ６４の図示せぬ対物レンズの位置を調整させる。
【００５５】
スピンドルモータ６２は、図示せぬクランプ機構によりCD-R、DVD-Rなどの光ディスク６８が、スピンドルモータ６２のシャフトに係合されると（装着されると）、サーボ制御部６１の制御の基に、シャフトに装着されている光ディスク６８を回転駆動する。
【００５６】
スレッドモータ６３は、サーボ制御部６１の制御の基に回転駆動し、ギア等の駆動力伝達部材を介して接続されているスレッドを移動させることにより、そのスレッドに、光ディスク６８の情報記録面に対向するように載置されている光ピックアップ６４を、光ディスク６８の径方向に移動させる。
【００５７】
光ピックアップ６４は、サーボ制御部６１の制御の基に駆動され、トラッキング制御およびフォーカス制御される。例えば、光ピックアップ６４は、サーボ制御部６１によって、光ピックアップ６４から光ディスク６８に照射される光のスポットが、光ディスク６８のトラックを追従するように、トラッキング制御される。また、例えば、光ピックアップ６４は、サーボ制御部６１によって、光ピックアップ６４から光ディスク６８に照射される光のスポットのフォーカスが、光ディスク６８の記録層に合焦するように、フォーカス制御される。
【００５８】
また、光ピックアップ６４は、制御部６７の制御の基に、信号処理部６５から供給された、光ディスク６８に記録させるデータに対応した記録信号に応じて内蔵するレーザダイオードを発光させ、対物レンズを介して光を光ディスク６８に照射して、光ディスク６８にデータを記録する。
【００５９】
さらに、光ピックアップ６４は、制御部６７の制御の基に、光ディスク６８に光を照射して、光ディスク６８において反射された光を受光する。そして、光ピックアップ６４は、受光した光を、受光した光の強さを示す電気信号に変換し、これにより得られた電気信号を信号処理部６５に供給する。
【００６０】
信号処理部６５は、ホストインターフェース６６を介してデータ制御部１９（図１）から供給されたデータ、または制御部６７から供給されたデータに、例えば、EFM（Eight to Fourteen Modulation）方式の変調処理などを施し、これにより得られた記録信号を光ピックアップ６４に供給する。
【００６１】
また、信号処理部６５は、光ピックアップ６４から供給された電気信号に、例えば、ＲＦ（Radio Frequency）信号処理、２値化処理、PLL（Phase Locked Loop）同期処理、EFM方式の復調処理などを施し、電気信号から光ディスク６８に記録されているデータ、フォーカスエラー信号、トラッキングエラー信号、またはウォブル信号などを抽出する。
【００６２】
信号処理部６５は、電気信号から抽出したデータを制御部６７に供給するか、またはホストインターフェース６６を介してデータ制御部１９に供給する。また、信号処理部６５は、電気信号から抽出したフォーカスエラー信号、トラッキングエラー信号、またはウォブル信号を制御部６７に供給する。
【００６３】
さらに、信号処理部６５は、光ディスク６８上の各領域の記録未記録を検出する機能を有しており、検出した記録の有無を２値化して制御部６７に供給する。
【００６４】
ホストインターフェース６６は、信号処理部６５または制御部６７から供給されたデータまたは各種の信号を、例えば、ATA/ATAPI-4などの規格に基づいてデバイスインターフェース２１を介してデータ制御部１９に供給する。また、ホストインターフェース６６は、デバイスインターフェース２１を介してデータ制御部１９から供給されたデータを、信号処理部６５または制御部６７に供給する。さらに、ホストインターフェース６６は、デバイスインターフェース２１を介してデータ制御部１９から供給された所定の信号を、制御部６７に供給する。
【００６５】
制御部６７は、例えば、汎用のセントラルプロセッサ、マイクロプロセッサ、または専用コントローラなどから構成され、光ディスク駆動装置２２全体を制御する。例えば、制御部６７は、光ピックアップ６４を制御し、レーザ光を光ディスク６８に照射させる。また、制御部６７は、信号処理部６５から供給されたデータを必要に応じてホストインターフェース６６に供給し、さらに制御部６７は、ホストインターフェース６６から供給されたデータを、必要に応じて信号処理部６５に供給する。
【００６６】
制御部６７は、信号処理部６５から供給されたフォーカスエラー信号を基に、光ディスク駆動装置２２に挿入（装着）された光ディスク６８のフォーマット方式（以下、ディスク種類とも称する）を判別し、信号処理部６５から供給されたフォーカスエラー信号、トラッキングエラー信号、またはウォブル信号に基づいてサーボ制御部６１を制御し、フォーカス制御やトラッキング制御を行わせる。
【００６７】
さらに、制御部６７は、光ディスク６８上に記録されるデータを管理するための管理情報を光ディスク６８から読み出し、確認することで、光ディスク６８の管理情報の有無を判別し、また、信号処理部６５の光ディスク６８上の各領域の記録未記録を検出する機能を利用して、レーザダイオードの記録パワーを最適化するために光ディスク上に設けられるパワーキャリブレーション領域の使用状況を確認し、使用履歴の有無を判別する。
【００６８】
そして、制御部６７は、光ディスク６８のディスク管理情報の有無と、パワーキャリブレーション領域の使用履歴の有無に基づいて、光ディスク６８に異常があるかを検出し、光ディスク６８に異常があることが検出された場合、その検出結果をユーザに通知するために、光ディスク６８に異常がある可能性を示す異常通知信号を生成し、ホストインターフェース６６を介してデータ制御部１９に供給する。
【００６９】
この異常通知信号は、データ制御部１９を介してシステム制御部２５に供給され、システム制御部２５により、LCD１６や出力部２８を構成する発光素子、音響素子などから、光ディスク６８に異常があることや、光ディスク６８を取り出すように促す通知がユーザに対して出力される。
【００７０】
図３は、光ディスク６８のフォーマットについて説明する図である。図３の例においては、DVD-Rからなる光ディスク６８の平面外形図とともに、左から順に、光ディスク６８の最内周から最外周までのDVD-Rの物理的記録フォーマットを説明する図が示されている。なお、図３の例においては、DVD-Rの場合を説明するが、DVD+R,DVD-RW,DVD+RWもほぼ同様な構成となっている。
【００７１】
光ディスク６８上には、最内周側から順に、読出領域１０１、パワーキャリブレーション領域（キャリブレーション領域）１０２、管理領域１０３、リードインエリア１０４、ファイルシステム情報領域１０５、ユーザデータ領域１０６、リードアウトエリア１０７、および終端領域１０８が構成される。
【００７２】
読出領域１０１は、光ディスク６８のデータを読み出し始める領域である。パワーキャリブレーション領域１０２は、光ディスク６８に記録する際の最適なレーザーパワーを決定するために、ビーム強度のテスト記録を行う領域、すなわち、レーザーパワーを最適化するための領域である。したがって、データが一度も記録されていない状態のパワーキャリブレーション領域１０２は、未使用の状態となっている。また、DVD-Rの場合、パワーキャリブレーション領域１０２は、データの記録指示がなされる度に、外周側から順に使用されていく。
【００７３】
管理領域１０３は、光ディスク６３の管理情報が記録されている領域であり、第１管理データ領域１１１−１乃至第ｎ管理データ領域１１１−ｎ、および識別情報領域１１２により構成されている。具体的には、第１管理データ領域１１１−１乃至第ｎ管理データ領域１１１−ｎには、ファイルシステム情報領域１０５やユーザデータ領域１０６などのデータ配置や記録状況を管理するデータ管理情報が記録されている。
【００７４】
例えば、ファイルシステム情報領域１０５やユーザデータ領域１０６などにデータが記憶されていないとき、第１管理データ領域１１１−１乃至第ｎ管理データ領域１１１−ｎには、何も記録されておらず、データ管理情報がない状態であるが、ファイルシステム情報領域１０５やユーザデータ領域１０６などにデータが記録されると、光ディスク６３が取り出される直前毎に、記録されたデータ配置や記録状況などを管理するデータ管理情報が内周側から順に記録されていく。なお、このとき、データ管理情報として、データが記録される毎に使用されるパワーキャリブレーション領域の使用状況を示す情報（例えば、使用領域を示すアドレス）も記録される。
【００７５】
識別情報領域(PFIエリア:Phigical Format Area)１１２には、光ディスク６８のディスク種類を示す情報が光ディスク６８を製造するメーカなどで予め記録されており、物理的に上書きが不可能な状態とされている。
【００７６】
リードインエリア１０４は、LSN(Logical Sector Number)が00000hで、PSN(Phygical Sector Number)が3000hから始まる、光ディスク６８へのデータの記録再生領域であるファイルシステム情報領域１０５やユーザデータ領域１０６への導入の領域である。
【００７７】
ファイルシステム情報領域１０５は、ユーザデータ領域１０６に記録される画像ファイルや音声ファイルなどの管理情報が記録される領域であり、ユーザデータ領域１０６は、画像データや音声データが、画像ファイルや音声ファイルとして記録される領域である。
【００７８】
リードアウトエリア１０７は、光ピックアップ６４などが外周にはみ出さないように、ユーザデータ領域１０６に記録されているデータをぎりぎりまで読み出せるよう設けられた余分な領域であり、終端領域１０８は、光ディスク６８の終端の領域である。
【００７９】
図４は、制御部６７の機能の構成を示すブロック図である。
【００８０】
制御部６７は、ディスク１次判別部１５１、サーボ調整部１５２、管理情報読出部１５３、キャリブレーション領域確認部１５４、情報メモリ１５５、および異常検出部１５６により構成される。
【００８１】
ディスク１次判別部１５１は、光ディスク駆動装置２２に光ディスク６８が挿入されると、光ディスク６８のディスク種類を物理的に判別する。例えば、ディスク１次判別部１５１は、光ピックアップ６４の対物レンズを、光ディスク６８の情報記録面に対して垂直な方向（光ピックアップ６４が光ディスク６８に近づく方向、または光ディスク６８から遠ざかる方向）に移動させながら、光ディスク６８に光を照射して、光ディスク６８において反射された光を受光することで、信号処理部６５により得られるフォーカスエラー信号を基に、光ディスク駆動装置２２に挿入された光ディスク６８のディスク種類（CD-R、CD-RW、DVD-R、DVD-RW、DVD+R、DVD+RW、DVD-RAMなど）を判別する。
【００８２】
例えば、DVD-RとDVD-RWは、反射率が大きく異なるので、それを利用して判別することができる。また、DVD-RとDVD+Rトラック部分の信号が異なるので、それを利用して判別することができる。これにより、おおよその光ディスク６８のディスク種類を物理的に判別することができる。
【００８３】
サーボ調整部１５２は、ディスク１次判別部１５１により判別されたディスク種類に応じ、信号処理部６５から供給されたフォーカスエラー信号、トラッキングエラー信号などに基づき、サーボ調整を行い、サーボ制御部６１を制御し、フォーカス制御やトラッキング制御を行わせる。
【００８４】
管理情報読出部１５３は、サーボ調整が終了すると、サーボ制御部６１および光ピックアップ６４を制御して、光ディスク６８の管理領域にシーク動作を行わせ、管理領域に記録されているデータ、すなわち、管理情報を読み出させ、信号処理部６５から供給される管理情報に基づいて、ディスク種類の２次判別を行うとともに、データの記録状態を確認する。その際、管理情報読出部１５３は、光ディスク６８における管理情報の有無を、情報メモリ１５５に記憶させる。
【００８５】
すなわち、管理情報読出部１５３は、管理領域の識別情報領域に予め保存されている光ディスク６８のディスク種類を示す情報に基づいて、ディスク種類の２次判別を行い、２次判別結果がディスク１次判別部１５１によるディスク種類の１次判別結果と一致するか否かを確認する。
【００８６】
また、管理情報読出部１５３は、光ディスク６８の第１管理データ領域乃至第ｎ管理データ領域を参照して、データの記録状態を確認することで、光ディスク６８における管理情報の有無を判別する。例えば、管理情報読出部１５３は、第１管理データ領域乃至第ｎ管理データ領域にデータが記録されていない場合、光ディスク６８における管理情報（具体的には、データ管理情報）がないと判定し、管理情報なしを示すフラグを、情報メモリ１５５に記憶させる。一方、管理情報読出部１５３は、第１管理データ領域乃至第ｎ管理データ領域にデータが記録されている場合、光ディスク６８における管理情報があると判定し、管理情報ありを示すフラグを、情報メモリ１５５に記憶させる。なお、このとき、管理情報のうち、データが記録される毎に使用されたパワーキャリブレーション領域の使用状況や、データ領域の使用状況などの情報も、必要に応じて情報メモリ１５５に記憶される。
【００８７】
キャリブレーション領域確認部１５４は、サーボ制御部６１および光ピックアップ６４を制御して、光ディスク６８のパワーキャリブレーション領域にシーク動作を行わせ、信号処理部６５に、パワーキャリブレーション領域の記録未記録を検出させることで、パワーキャリブレーション領域の使用履歴の有無を判別する。
【００８８】
すなわち、信号処理部６５に、パワーキャリブレーション領域の記録未記録を検出させると、信号処理部６５から、検出された記録の有無が２値化してキャリブレーション領域確認部１５４に供給される。したがって、キャリブレーション領域確認部１５４は、信号処理部６５からの２値化データに基づいて、現在のパワーキャリブレーション領域の使用状況を確認することで、パワーキャリブレーション領域の使用履歴の有無を判別し、パワーキャリブレーション領域の使用履歴の有無を示すフラグを情報メモリ１５５に記憶させる。このとき、確認された現在のパワーキャリブレーション領域の使用状況の情報（パワーキャリブレーション領域のうち、現在使用されている使用領域を示すアドレス）も情報メモリ１５５に記憶される。
【００８９】
情報メモリ１５５は、RAMや不揮発性メモリなどで構成され、管理情報の有無を示すフラグ、管理情報に記載されているパワーキャリブレーション領域の使用状況やデータ領域の使用状況などの情報、パワーキャリブレーション領域の使用履歴の有無を示すフラグ、および現在のパワーキャリブレーション領域における使用状況などが記憶されている。
【００９０】
異常検出部１５６は、情報メモリ１５５に記憶されている情報（少なくとも、管理情報の有無を示すフラグ、およびパワーキャリブレーション領域の使用履歴の有無を示すフラグ）に基づいて、光ディスク６８の異常を検出する。
【００９１】
例えば、光ディスク６８に管理情報がある場合、異常検出部１５６は、光ディスク６８に記録されているデータがあると判定して、光ディスク６８を「使用履歴あり」ディスク扱いとする。光ディスク６８に管理情報も、パワーキャリブレーション領域の使用履歴もない場合、光ディスク６８に記録されているデータはない（すなわち、未使用のディスクである）と判定して、光ディスク６８を「使用履歴なし」ディスク扱いとする。これらに対し、光ディスク６８に管理情報がないにも関わらず、パワーキャリブレーション領域の使用履歴がある場合、異常検出部１５６は、データは記録されているが、管理情報の記録を損じたディスクである可能性が高いと判定して、光ディスク６８を「異常」ディスク扱いとし、光ディスク６８に異常がある可能性が高いことを示す異常通知信号を生成し、生成した異常通知信号を、ホストインターフェース６６を介してデータ制御部１９に供給する。
【００９２】
次に、図５のフローチャートを参照して、ビデオカメラ１の初期動作について説明する。なお、この動作は、ユーザにより光ディスク駆動装置２２に光ディスク６８が挿入されると開始される動作であり、光ディスク駆動装置２２に装着された光ディスク６８の記録処理または再生処理の前に実行される、ディスクを認識する動作である。
【００９３】
光ディスク駆動装置２２に光ディスク６８が挿入されると、ステップＳ１１において、ディスク１次判別部１５１は、光ディスク６８のディスク種類（フォーマット方式）の１次判別を行う。
【００９４】
例えば、ディスク１次判別部１５１は、光ピックアップ６４の対物レンズを、光ディスク６８の情報記録面に対して垂直な方向に移動させながら、光ディスク６８に光を照射して、光ディスク６８において反射された光を受光することで、信号処理部６５により得られるフォーカスエラー信号を基に、光ディスク駆動装置２２に挿入された光ディスク６８のディスク種類を物理的に判別する。
【００９５】
ステップＳ１２において、サーボ調整部１５２は、ディスク１次判別部１５１により判別されたディスク種類に応じて、サーボ調整を行う。すなわち、サーボ調整部１５２は、判別されたディスク種類に応じた光ピックアップ６４の対物レンズの位置や測定するフォーカスエラー信号の振幅の範囲を基に、サーボ制御部６１を制御して、光ピックアップ６４の対物レンズを光ディスク６８に対して、図２における上下方向に移動させる。そして、信号処理部６５から供給されるフォーカスエラー信号のＳ字カーブの個数や、フォーカスエラー信号の振幅を求め、それらの値を基に光ピックアップ６４から射出される光が、光ディスク６８の記録層に合焦するように、対物レンズの位置などを調整する。
【００９６】
さらに、サーボ調整部１５２は、制御部６７の制御の基に、スレッドモータ６３を駆動させて、光ピックアップ６４を移動させたり、光ピックアップ６４の対物レンズを移動させたりする。そして、さらに、サーボ調整部１５２は、信号処理部６５から供給されたフォーカスエラー信号、トラッキングエラー信号などに基づいて、サーボ制御部６１を制御して、フォーカス制御させるか、またはトラッキング制御させる。
【００９７】
サーボが調整されると、ステップＳ１３において、管理情報読出部１５３は、管理情報読出処理を実行する。この管理情報読出処理は、図６を参照して詳しく後述するが、ステップＳ１３の管理情報読出処理により、光ディスク６８の管理領域から、管理情報が読み出されて、ディスク種類の２次判別が行われるとともに、ユーザデータの記録状態が確認され、光ディスク６８の管理情報の有無が判別され、判別された光ディスク６８の管理情報の有無を示すフラグが、情報メモリ１５５に記憶される。
【００９８】
ステップＳ１４において、キャリブレーション領域確認部１５４は、信号処理部６５が有する記録未記録検出機能を利用して、パワーキャリブレーション領域検索処理を実行する。このパワーキャリブレーション領域検索処理は、図７を参照して詳しく後述するが、ステップＳ１４のパワーキャリブレーション領域検索処理により、光ディスク６８上のパワーキャリブレーション領域の使用状況が確認され、パワーキャリブレーション領域の使用履歴の有無が判別され、判別されたパワーキャリブレーション領域の使用履歴の有無を示すフラグが、情報メモリ１５５に記憶される。
【００９９】
ステップＳ１５において、異常検出部１５６は、情報メモリ１５５に記憶されている情報などに基づいて、光ディスク６８の異常を検出する異常検出処理を実行する。この異常検出処理は、図８を参照して詳しく後述する。
【０１００】
ステップＳ１５の異常検出処理により、情報メモリ１５５に記憶されている光ディスク６８の管理情報の有無を示す情報、およびパワーキャリブレーション領域の使用履歴の有無を示す情報などに基づいて、光ディスク６８の異常が検出される。異常が検出された場合には、光ディスク６８に異常がある可能性が高いことをユーザに通知するための異常通知信号が、ホストインターフェース６６を介して、データ制御部１９に供給される。データ制御部１９から異常通知信号が供給されると、システム制御部２５は、出力部２８またはLCD１６から、ユーザに対して、光ディスク６８が異常ディスクであり、光ディスク６８の取り外しを促すことなどを通知させる。
【０１０１】
一方、光ディスク６８の異常が検出されなかった場合、すなわち、光ディスク６８が正常な場合には、このビデオカメラ１の初期動作は終了し、その後、ユーザからの記録処理や再生処理を開始させる指示信号に応じて、記録処理や再生処理が実行される。なお、記録処理の前には、情報メモリ１５５に記憶されている光ディスク６８上のパワーキャリブレーション領域の使用状況に基づき、パワーキャリブレーション領域の未記録領域において、レーザダイオードの記録パワーが最適化される。
【０１０２】
次に、図６のフローチャートを参照して、図５のステップＳ１３の管理情報読出処理を説明する。
【０１０３】
ステップＳ３１において、管理情報読出部１５３は、光ディスク６８の管理領域へのシークを行う。すなわち、管理情報読出部１５３は、サーボ制御部６１および光ピックアップ６４を制御して、光ディスク６８の管理領域にシーク動作を行わせる。
【０１０４】
ステップＳ３２において、管理情報読出部１５３は、光ディスク６８の管理領域から必要な管理情報を読出し、ディスク種類の２次判別を行う。すなわち、管理情報読出部１５３は、管理領域の識別情報領域に予め記録されている光ディスク６８のディスク種類を示す情報に基づいて、ディスク種類の２次判別を行い、２次判別の結果が、ディスク１次判別部１５１によるディスク種類の１次判別結果と一致することを確認する。万が一、一致していなければ、ディスク種類の２次判別結果を採用する。この場合、２次判別結果が示すディスク種類に基づいて、サーボ調整が再度行われる。
【０１０５】
ステップＳ３３において、管理情報読出部１５３は、光ディスク６８の管理領域から必要な管理情報を読出し、データの記録状態を確認する。すなわち、管理情報読出部１５３は、管理領域の第１管理データ領域乃至第ｎ管理データ領域を参照して、データの記録状態を確認する。
【０１０６】
ステップＳ３４において、管理情報読出部１５３は、光ディスク６８に管理情報は存在するか否かを判定する。第１管理データ領域乃至第ｎ管理データ領域にデータが記録されている場合、ステップＳ３４において、管理情報読出部１５３は、光ディスク６８に、管理情報が存在すると判定し、ステップＳ３５において、「管理情報あり」を示すフラグを、情報メモリ１５５に記憶させる。なお、このとき、管理情報のうち、データが記録される毎に使用されたパワーキャリブレーション領域の使用状況やデータ領域の使用状況などの情報も、必要に応じて情報メモリ１５５に記憶される。
【０１０７】
一方、第１管理データ領域乃至第ｎ管理データ領域にデータが記録されていない場合、ステップＳ３４において、管理情報読出部１５３は、光ディスク６８に、管理情報（具体的には、データ管理情報）が存在しないと判定し、ステップＳ３６において、「管理情報なし」を示すフラグを、情報メモリ１５５に記憶させる。
【０１０８】
ステップＳ３５またはステップＳ３６の後、管理情報読出処理は終了され、処理は、図５のステップＳ１３に戻り、ステップＳ１４に進む。
【０１０９】
次に、図７のフローチャートを参照して、図５のステップＳ１４のパワーキャリブレーション領域検索処理を説明する。
【０１１０】
ステップＳ５１において、キャリブレーション領域確認部１５４は、光ディスク６８のパワーキャリブレーション領域にシークを行う。すなわち、キャリブレーション領域確認部１５４は、サーボ制御部６１および光ピックアップ６４を制御して、光ディスク６８のパワーキャリブレーション領域にシーク動作を行わせる。
【０１１１】
ステップＳ５２において、キャリブレーション領域確認部１５４は、信号処理部６５に、パワーキャリブレーション領域の記録未記録を検出させることで、パワーキャリブレーション領域の使用可能領域を検索し、パワーキャリブレーション領域の使用状況を確認する。すなわち、信号処理部６５から、検出された記録の有無が２値化して制御部６７に供給されるので、制御部６７は、信号処理部６５からの２値化データに基づいて、パワーキャリブレーション領域の使用状況を確認する。
【０１１２】
ステップＳ５３において、キャリブレーション領域確認部１５４は、パワーキャリブレーション領域が未使用であるか否かを判定し、パワーキャリブレーション領域が未使用ではないと判定した場合、処理は、ステップＳ５４に進む。
【０１１３】
ステップＳ５４において、キャリブレーション領域確認部１５４は、「パワーキャリブレーション領域使用履歴あり」を示すフラグを、情報メモリ１５５に保存する。なお、このとき、２値化データに基づいて確認された現在のパワーキャリブレーション領域の使用状況を示す情報（例えば、使用領域を示すアドレス）も、情報メモリ１５５に保存する。
【０１１４】
ステップＳ５３において、パワーキャリブレーション領域が未使用であると判定された場合、処理は、ステップＳ５５に進む。ステップＳ５５において、キャリブレーション領域確認部１５４は、「パワーキャリブレーション領域使用履歴なし」を示すフラグを、情報メモリ１５５に保存する。
【０１１５】
ステップＳ５４またはステップＳ５５の後、パワーキャリブレーション領域検索処理は終了され、処理は、図５のステップＳ１４に戻り、ステップＳ１５に進む。
【０１１６】
次に、図８のフローチャートを参照して、図５のステップＳ１５の異常検出処理を説明する。
【０１１７】
ステップＳ７１において、異常検出部１５６は、情報メモリ１５５に保存されている管理情報の有無を示すフラグを読み出し、読み出したフラグに基づいて、光ディスク６８に管理情報が存在するか否かを判定し、光ディスク６８に管理情報が存在すると判定した場合、処理は、ステップＳ７２に進む。すなわち、この場合、光ディスク６８は、管理情報が存在するディスクであるので、ステップＳ７２において、異常検出部１５６は、この光ディスク６８を「使用履歴あり」ディスク扱いとし（すなわち、「使用履歴あり」ディスクとして扱うこととし）、異常検出処理は終了される。
【０１１８】
ステップＳ７１において、光ディスク６８に管理情報が存在しないと判定された場合、処理は、ステップＳ７３に進む。ステップＳ７３において、異常検出部１５６は、情報メモリ１５５に保存されているパワーキャリブレーション領域使用履歴の有無を示すフラグを読み出し、読み出したフラグに基づいて、光ディスク６８のパワーキャリブレーション領域の使用履歴があるか否かを判定する。
【０１１９】
ステップＳ７３において、光ディスク６８のパワーキャリブレーション領域の使用履歴がないと判定された場合、処理は、ステップＳ７４に進む。すなわち、光ディスク６８は、管理情報も存在せず、パワーキャリブレーション領域の使用履歴もないディスクであるので、ステップＳ７４において、異常検出部１５６は、この光ディスク６８を「使用履歴なし」ディスク扱いとし（すなわち、「使用履歴なし」ディスクとして扱うこととし）、異常検出処理は終了される。
【０１２０】
ステップＳ７３において、光ディスク６８のパワーキャリブレーション領域の使用履歴があると判定された場合、処理は、ステップＳ７５に進む。すなわち、光ディスク６８に、管理情報が存在せず、パワーキャリブレーション領域の使用履歴がある場合、光ディスク６８のユーザデータ領域にデータが記録された可能性が高いため、この光ディスク６８は、以前に使用されたことがあり、何らかの異常で管理情報を記録損じたディスクであると想定される。したがって、ステップＳ７５において、異常検出部１５６は、光ディスク６８を「異常」ディスク扱いとする（すなわち、「異常」ディスクとして扱うこととする）。
【０１２１】
そして、ステップＳ７６において、異常検出部１５６は、ディスク６８が「異常」ディスクであることを、ホストインターフェース６６を介して、システム制御部２５に通知する。すなわち、異常検出部１５６は、「異常」ディスクである可能性があることを示す異常通知信号を生成し、生成した異常通知信号を、ホストインターフェース６６を介してデータ制御部１９に供給する。異常通知信号は、データ制御部１９からシステム制御部２５に供給される。
【０１２２】
システム制御部２５は、データ制御部１９から供給される光ディスクの異常通知信号に応じて、発光素子、音響素子などからなる出力部２８を制御して、ユーザに、光ディスク６８に異常がある可能性があることや、光ディスク６８の取り出しを促すことなどを通知するための光や音声を発生させる。
【０１２３】
あるいは、システム制御部２５は、データ制御部１９から供給される光ディスクの異常通知信号に応じて、スクリーンメモリ１４に記録されている、光ディスク６８に異常がある可能性があることや、光ディスク６８の取り出しを促すことなどを通知するためのアイコンなどの文字や図形（画像）を表示させるためのデータを読み出し、そのデータに基づいて所定の演算を行う。そして、システム制御部２５は、その演算の結果得られた、アイコンなどの文字や図形（画像）を表示させるための画像データを、ビデオ／オーディオインターフェース１３を介してLCD１６に供給する。
【０１２４】
これにより、発光素子、音響素子などからなる出力部２８から、光ディスク６８に異常がある可能性があることなどを通知するための光や音声が出力されたり、または、LCD１６に、光ディスク６８に異常がある可能性があることや、光ディスク６８の取り出しを促すことなどを通知するための画像が表示される。
【０１２５】
なお、このとき、光ディスク６８に異常がある可能性があることや、光ディスク６８の取り出しを促すことなどを通知するための画像に限らず、光ディスク６８の異常を通知したり、あるいは、その対処方法に関する他の画像とすることもできる。例えば、光ディスク６８をサービスに持ち込むことを促すための画像を表示することもできる。
【０１２６】
以上のように、管理情報の有無だけでなく、パワーキャリブレーション領域の使用履歴にも基づいて、光ディスクの異常を検出するようにしたので、例えば、管理情報が存在せず、パワーキャリブレーション領域の使用履歴がある光ディスク、すなわち、ユーザデータ領域にデータが記録された可能性が高く、以前に使用されたことがあり、何らかの異常で管理情報を記録損じたと想定される光ディスクが、「異常」ディスクとして検出することができる。
【０１２７】
また、その異常をユーザに通知することにより、従来のように管理情報がないので未記録のディスクと誤判断され、それ以前に記録されていたデータ上にさらにデータが上書きされることが抑制される。
【０１２８】
これにより、ユーザがそれ以前に記録したデータの破損や消失を防ぐことができる。したがって、例えば、「異常」ディスクとされた光ディスクを、ユーザがサービスに持ち込むことで、ユーザがそれ以前に記録したデータを復帰させることができる。
【０１２９】
また、特に、ライトワンス型の光ディスクの場合には、ユーザがそれ以前に記録したデータだけでなく、これから記録しようとするデータの破損も防止することができる。この効果は、データを記録する装置が、ビデオカメラやデジタルカメラなどの場合には、記録されるデータのバックアップは存在しないことが多いことから、ユーザにとって、かなり有益な効果である。
【０１３０】
なお、以上においては、パワーキャリブレーションを、記録処理の直前に行う記録装置により、光ディスク６８にデータが記録されている場合に対応する例を説明したが、例えば、パーソナルコンピュータなどのように、記録処理の直前ではなく、ディスク挿入時に、パワーキャリブレーションを行う装置も存在する。このような装置で記録された光ディスクの場合、パワーキャリブレーションの使用履歴があっても、データが記録されていない場合があり得る。これらの装置に対応する異常検出処理の他の処理を次に説明する。
【０１３１】
図９は、制御部６７の機能の他の構成を示すブロック図である。なお、図１０の例において、ディスク１次判別部１５１、サーボ調整部１５２、管理情報読出部１５３、キャリブレーション領域確認部１５４、情報メモリ１５５、および異常検出部１５６が備えられている点は、図４の制御部６７と共通しているが、データ領域確認部１７１が追加された点が異なっている。
【０１３２】
すなわち、図９の例においては、異常検出部１５６は、情報メモリ１５５に記憶されている情報だけでなく、必要に応じて、データ領域確認部１７１から供給されるユーザデータ領域の記録の有無やユーザデータ領域の使用状況に基づいても、光ディスク６８の異常を検出する。
【０１３３】
データ領域確認部１７１は、異常検出部１５６の制御の基に、サーボ制御部６１および光ピックアップ６４を制御して、光ディスク６８のユーザデータ領域にシーク動作を行わせ、信号処理部６５に、ユーザデータ領域の記録未記録を検出させることで、ユーザデータ領域の使用状況を確認し、データ領域の記録の有無を判別し、それらの情報を、異常検出部１５６に供給する。
【０１３４】
次に、図１０のフローチャートを参照して、図９の制御部６７により実行される図５のステップＳ１５の異常検出処理の他の例を説明する。なお、図１０のステップＳ９１乃至Ｓ９３、およびＳ９６乃至Ｓ９８は、図８のステップＳ７１乃至Ｓ７６と基本的に同様の処理であるので、その詳細な説明は適宜省略する。
【０１３５】
ステップＳ９１において、異常検出部１５６は、情報メモリ１５５に保存されている管理情報の有無を示すフラグを読み出し、読み出したフラグに基づいて、光ディスク６８に管理情報が存在するか否かを判定し、光ディスク６８に管理情報が存在すると判定した場合、処理は、ステップＳ９２に進む。ステップＳ９２において、異常検出部１５６は、この光ディスク６８を「使用履歴あり」ディスク扱いとし、異常検出処理は終了される。
【０１３６】
ステップＳ９１において、光ディスク６８に管理情報が存在しないと判定された場合、処理は、ステップＳ９３に進む。ステップＳ９３において、異常検出部１５６は、情報メモリ１５５に保存されているパワーキャリブレーション領域の使用履歴の有無を示すフラグを読み出し、読み出したフラグに基づいて、光ディスク６８のパワーキャリブレーション領域の使用履歴があるか否かを判定し、光ディスク６８のパワーキャリブレーション領域の使用履歴があると判定した場合、処理は、ステップＳ９４に進む。
【０１３７】
ステップＳ９４において、異常検出部１５６は、データ領域確認部１７１を制御し、ユーザデータ領域の記録の有無を検出させる。すなわち、データ領域確認部１７１は、異常検出部１５６の制御の基に、サーボ制御部６１および光ピックアップ６４を制御して、光ディスク６８のユーザデータ領域にシーク動作を行わせ、信号処理部６５に、ユーザデータ領域の記録未記録を検出させることで、ユーザデータ領域の使用状況を確認し、データ領域の記録の有無を判別する。そして、信号処理部６５は、ユーザデータ領域の記録の有無を示す情報（フラグ）を、異常検出部１５６に供給する。
【０１３８】
なお、ユーザデータ領域の検索対象としては、ユーザデータ領域全体とすることもできるが、効率や検索速度の面から、ユーザデータ領域に、最初にデータが記録され始めるであろう領域とすることができる。例えば、DVD-Rの場合、図３のユーザデータ領域１０６における、ファイルシステム情報領域１０５側から、データが記録され始めるので、ユーザデータ領域１０６とファイルシステム情報領域１０５との境界あたりからの領域を検索することで、ユーザデータ領域のデータの記録の有無が検出される。
【０１３９】
ステップＳ９５において、異常検出部１５６は、データ領域確認部１７１からのユーザデータ領域の記録の有無を示す情報に基づいて、ユーザデータ領域の記録があるか否かを判定し、ユーザデータ領域の記録がないと判定した場合、処理は、ステップＳ９６に進む。
【０１４０】
また、ステップＳ９３において、光ディスク６８のパワーキャリブレーション領域の使用履歴がないと判定された場合も、処理は、ステップＳ９６に進む。
【０１４１】
すなわち、ステップＳ９３で、光ディスク６８のパワーキャリブレーション領域の使用履歴がないと判定された場合、光ディスク６８が、光ディスク６８に管理情報もパワーキャリブレーション領域の使用履歴もないディスクであり、また、ステップＳ９５において、ユーザデータ領域の記録がないと判定された場合、光ディスク６８が、パワーキャリブレーション領域の使用履歴があっても、光ディスク６８に管理情報がなく、さらに、ユーザデータ領域にデータの記録がないディスクである。したがって、ステップＳ９６において、異常検出部１５６は、この光ディスク６８を「使用履歴なし」ディスク扱いとし、異常検出処理は終了される。
【０１４２】
ステップＳ９５において、ユーザデータ領域の記録があると判定された場合、すなわち、光ディスク６８に、管理情報が存在せず、パワーキャリブレーション領域の使用履歴があり、さらに、ユーザデータ領域に、データの記録がある場合、光ディスク６８のユーザデータ領域にデータが記録された可能性が高いため、この光ディスク６８は、以前に使用されたことがあり、何らかの異常で管理情報を記録損じたディスクであると想定され、処理は、ステップＳ９７に進む。ステップＳ９７において、異常検出部１５６は、光ディスク６８を「異常」ディスク扱いとする。
【０１４３】
そして、ステップＳ９８において、異常検出部１５６は、「異常」ディスクであることを、ホストインターフェース６６を介して、システム制御部２５に通知する。これにより、発光素子、音響素子などからなる出力部２８から、光ディスク６８に異常がある可能性があることや、光ディスク６８の取り出しを促すことなどを通知するための光や音声が出力されたり、または、LCD１６に、光ディスク６８に異常がある可能性があることや、光ディスク６８の取り出しを促すことなどを通知するための画像が表示される。
【０１４４】
以上のように、パワーキャリブレーション領域の使用履歴に加えて、さらに、ユーザデータ領域の記録の有無に基づいて、光ディスクの異常を検出するようにしたので、例えば、管理情報が存在せず、パワーキャリブレーション領域の使用履歴があり、さらに、ユーザデータ領域に、データの記録がある光ディスク、すなわち、ユーザデータ領域にデータが記録された可能性が高く、以前に使用されたことがあり、何らかの異常で管理情報を記録損じたと想定される光ディスクを「異常」ディスクとして検出することができる。これにより、図８の例よりも、より確実に、「異常」ディスクを検出することができる。
【０１４５】
また、図８の例においては対応されていない、ディスク挿入時にパワーキャリブレーションを行ってしまう記録装置の場合にも、従来のように管理情報がないので未記録のディスクと誤判断され、それ以前に記録されていたデータ上にさらにデータが上書きされることが抑制される。
【０１４６】
次に、図１１のフローチャートを参照して、図５のステップＳ１５の異常検出処理のさらに他の例を説明する。なお、図１１のステップＳ１１１，Ｓ１１５乃至Ｓ１２１は、図９のステップＳ９１乃至Ｓ９８と基本的に同様の処理であるので、その詳細な説明は適宜省略する。
【０１４７】
ステップＳ１１１において、異常検出部１５６は、情報メモリ１５５に保存されている管理情報の有無を示すフラグを読み出し、読み出したフラグに基づいて、光ディスク６８に管理情報が存在するか否かを判定し、光ディスク６８に管理情報が存在すると判定した場合、処理は、ステップＳ１１２に進む。ステップＳ１１２において、異常検出部１５６は、情報メモリ１５５に保存されている現在のパワーキャリブレーション領域における使用状況と、同じく情報メモリ１５５に保存されている管理情報におけるパワーキャリブレーション領域の使用状況とを読み出して比較し、現在のパワーキャリブレーション領域における使用状況が管理情報と一致するか否かを判定する。
【０１４８】
ステップＳ１１２において、現在のパワーキャリブレーション領域における使用状況が管理情報と一致しないと判定された場合、処理は、ステップＳ１１３に進む。ステップＳ１１３において、異常検出部１５６は、データ領域確認部１７１を制御し、ユーザデータ領域の使用状況を確認させる。すなわち、データ領域確認部１７１は、異常検出部１５６の制御の基に、サーボ制御部６１および光ピックアップ６４を制御して、光ディスク６８のユーザデータ領域にシーク動作を行わせ、信号処理部６５に、ユーザデータ領域の記録未記録を検出させることで、ユーザデータ領域の使用状況を確認し、その情報を、異常検出部１５６に供給する。
【０１４９】
ステップＳ１１４において、異常検出部１５６は、情報メモリ１５５に記録されている管理情報におけるデータ領域の使用状況の情報を読み出し、データ領域確認部１７１により確認されたユーザデータ領域の使用状況と、管理情報におけるデータ領域の使用状況とを比較し、ユーザデータ領域の使用状況が管理情報と一致するかを判定する。
【０１５０】
ステップＳ１１４において、ユーザデータ領域の使用状況が管理情報と一致すると判定された場合、処理は、ステップＳ１１５に進む。一方、ステップＳ１１２において、現在のパワーキャリブレーション領域における使用状況が管理情報と一致すると判定された場合も、処理は、ステップＳ１１５に進む。
【０１５１】
すなわち、これらの場合、光ディスク６８に管理情報が存在し、さらに、その管理情報に記載されている内容と、確認されたパワーキャリブレーション領域の使用状況またはユーザデータ領域の使用状況が一致するので、ステップＳ１１５において、異常検出部１５６は、この光ディスク６８を「使用履歴あり」ディスク扱いとし、異常検出処理は終了される。
【０１５２】
ステップＳ１１１において、光ディスク６８に管理情報が存在しないと判定された場合、処理は、ステップＳ１１６に進む。ステップＳ１１６において、異常検出部１５６は、情報メモリ１５５に保存されているパワーキャリブレーション領域の使用履歴の有無を示すフラグを読み出し、読み出したフラグに基づいて、光ディスク６８のパワーキャリブレーション領域の使用履歴があるか否かを判定し、光ディスク６８のパワーキャリブレーション領域の使用履歴があると判定した場合、処理は、ステップＳ１１７に進む。
【０１５３】
ステップＳ１１７において、異常検出部１５６は、データ領域確認部１７１を制御し、ユーザデータ領域の記録の有無を検出させる。すなわち、データ領域確認部１７１は、異常検出部１５６の制御の基に、サーボ制御部６１および光ピックアップ６４を制御して、光ディスク６８のユーザデータ領域にシーク動作を行わせ、信号処理部６５に、ユーザデータ領域の記録未記録を検出させることで、データ領域の記録の有無を判別し、ユーザデータ領域の記録の有無を示す情報（フラグ）を、異常検出部１５６に供給する。
【０１５４】
ステップＳ１１８において、異常検出部１５６は、データ領域確認部１７１からのユーザデータ領域の記録の有無を示す情報に基づいて、ユーザデータ領域の記録があるか否かを判定し、ユーザデータ領域の記録がないと判定した場合、すなわち、この場合、光ディスク６８は、パワーキャリブレーション領域の使用履歴があっても、光ディスク６８に管理情報がなく、さらに、ユーザデータ領域にデータの記録がないディスクであるので、処理は、ステップＳ１１９に進む。
【０１５５】
また、ステップＳ１１６において、光ディスク６８のパワーキャリブレーション領域の使用履歴がないと判定された場合、すなわち、この場合、管理情報もなく、さらに、パワーキャリブレーション領域の使用履歴もないので、処理は、ステップＳ１１９に進む。
【０１５６】
ステップＳ１１９において、異常検出部１５６は、この光ディスク６８を「使用履歴なし」ディスク扱いとし、異常検出処理は終了される。
【０１５７】
ステップＳ１１８において、ユーザデータ領域の記録があると判定された場合、すなわち、光ディスク６８に、管理情報が存在せず、パワーキャリブレーション領域の使用履歴があり、さらに、ユーザデータ領域に、データの記録がある場合、光ディスク６８のユーザデータ領域にデータが記録された可能性が高いため、この光ディスク６８は、以前に使用されたことがあり、何らかの異常で管理情報を記録損じたディスクであると想定されるので、処理は、ステップＳ１２０に進む。
【０１５８】
一方、ステップＳ１１４において、ユーザデータ領域の使用状況が管理情報と一致しないと判定された場合、すなわち、ユーザデータ領域の使用状況が、例えば、管理情報に記載されているユーザデータ領域の使用状況よりも、データ領域確認部１７１により確認された実際に使用されている容量が多い場合には、この光ディスク６８に最新のデータが記録されたときの管理情報が何らかの異常により記録損じたディスクであると想定されるので、処理は、ステップＳ１２０に進む。
【０１５９】
ステップＳ１２０において、異常検出部１５６は、光ディスク６８を「異常」ディスク扱いとする。
【０１６０】
そして、ステップＳ１２１において、異常検出部１５６は、「異常」ディスクであることを、ホストインターフェース６６を介して、システム制御部２５に通知する。これにより、発光素子、音響素子などからなる出力部２８から、光ディスク６８に異常がある可能性があることや、光ディスク６８の取り出しを促すことなどを通知するための光や音声が出力されたり、または、LCD１６に、光ディスク６８に異常がある可能性があることや、光ディスク６８の取り出しを促すなどを通知するための画像が表示される。
【０１６１】
以上のように、管理情報が存在した場合、その管理情報に記載されているパワーキャリブレーション領域の使用状況やユーザデータ領域の使用状況に基づいても、ディスクの異常を検出するようにしたので、例えば、管理情報がある（すなわち、１度は使用履歴がある）光ディスクにおいても、ディスクの異常を検出することができ、その異常をユーザに通知することができる。
【０１６２】
また、管理情報に記載されているパワーキャリブレーション領域の使用状況だけでなく、管理情報に記載されているユーザデータ領域の使用状況にも基づくようにしたので、例えば、管理情報に、パワーキャリブレーション領域の使用状況を示す情報が記載されていない光ディスクであっても、そのディスクの異常を検出することができる。
【０１６３】
これにより、ユーザがそれ以前に記録したデータの破損や消失、並びにこれから記録しようとするデータの破損を防止することができる。したがって、例えば、「異常」ディスクとされた光ディスクを、ユーザがサービスに持ち込むことで、ユーザがそれ以前に記録したデータを復帰させることができる。
【０１６４】
なお、上記説明においては、ディスクの異常を検出し、その異常をユーザに通知する例を説明したが、光ディスク駆動装置２２において、ディスクの異常を検出することができるので、さらに、光ディスク駆動装置２２に、検出された異常を修復して、管理情報がなくても、ユーザがそれ以前に記録したデータを復帰する機能をさらに備えるように構成することもできる。
【０１６５】
以上のように、本発明によれば、ディスク挿入時、ディスク認識の際に、管理情報だけでなく、パワーキャリブレーション領域の使用履歴を示す情報を用いるようにしたので、すでにデータが書き込まれているが、管理情報を記録損じたディスクが、使用履歴のない（未使用の）ディスクとして認識されるのを防ぐことができる。すなわち、すでにデータが書き込まれているが管理情報が記録損じたディスクを異常ディスクとして検出することができる。これにより、その異常検出を、ユーザに通知したり、修復することができる。
【０１６６】
したがって、ユーザがそれ以前に記録したデータの破損や消失、並びにこれから記録しようとするデータの破損を防止することができる。
【０１６７】
上述した一連の処理は、ハードウエアにより実行させることもできるし、ソフトウエアにより実行させることもできる。
【０１６８】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１６９】
図１２は、上述した一連の処理をプログラムにより実行するコンピュータ１９１の構成の例を示すブロック図である。CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０１７０】
CPU２０１にはまた、バス２０４を介して入出力インターフェース２０５が接続されている。入出力インターフェース２０５には、キーボード、マウス、マイクロフォンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０１７１】
入出力インターフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。また、通信部２０９を介してプログラムを取得し、記憶部２０８に記憶してもよい。
【０１７２】
また、撮像部２１０は、図１の撮像部１１などに対応し、被写体を撮像して、画像データを取得する。
【０１７３】
入出力インターフェース２０５に接続されているドライブ２１１は、図１の光ディスク駆動装置２２に対応し、磁気ディスク、光ディスク、光磁気ディスク、或いは半導体メモリなどのリムーバブルメディア２１２が装着されたとき、それらを駆動し、そこに記録されているプログラムやデータなどを取得する。取得されたプログラムやデータは、必要に応じて記憶部２０８に転送され、記憶される。
【０１７４】
コンピュータにインストールされ、コンピュータによって実行可能な状態とされるプログラムを格納するプログラム記録媒体は、図１２に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア２１２、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインターフェースである通信部２０９を介して、ローカルエリアネットワーク、インターネット、デジタル衛星放送といった、有線または無線の通信媒体を利用して行われる。
【０１７５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１７６】
【図１】本発明を適用したビデオカメラの構成例を示すブロック図である。
【図２】図１の光ディスク駆動装置の構成を示すブロック図である。
【図３】図２の光ディスクのフォーマットについて説明する図である。
【図４】図２の制御部の機能の構成を示すブロック図である。
【図５】図１のビデオカメラの初期動作について説明するフローチャートである。
【図６】図５のステップＳ１３の管理情報読出処理を説明するフローチャートである。
【図７】図５のステップＳ１４のパワーキャリブレーション領域検索処理を説明するフローチャートである。
【図８】図５のステップＳ１５の異常検出処理を説明するフローチャートである。
【図９】図２の制御部の機能の他の構成を示すブロック図である。
【図１０】図５のステップＳ１５の異常検出処理の他の例を説明するフローチャートである。
【図１１】図５のステップＳ１５の異常検出処理のさらに他の例を説明するフローチャートである。
【図１２】本発明を適用したコンピュータの一実施の形態の構成例を示すブロック図である。
【符号の説明】
【０１７７】
１  デジタルカメラ，  １６  LCD，  ２２  光ディスク駆動装置，  ２５  システム制御部，  １８  出力部，  ６８  光ディスク，  ６５  信号処理部，  ６７  制御部，  １０２  キャリブレーション領域，  １０３  管理領域，  １０６  ユーザデータ領域，  １５１  ディスク１次判別部，  １５２  サーボ調整部，  １５３  管理情報読出部，  １５４  パワーキャリブ領域確認部，  １５５  情報メモリ，  １５６  異常検出部，  １７１  データ領域確認部
【図１】
2008004163.tif 000003
【図２】
2008004163.tif 000004
【図３】
2008004163.tif 000005
【図４】
2008004163.tif 000006
【図５】
2008004163.tif 000007
【図６】
2008004163.tif 000008
【図７】
2008004163.tif 000009
【図８】
2008004163.tif 000010
【図９】
2008004163.tif 000011
【図１０】
2008004163.tif 000012
【図１１】
2008004163.tif 000013
【図１２】
2008004163.tif 000014